(57)【特許請求の範囲】
【請求項１】
加熱調理器の器体内の前部に設けられる収納ケースに、収納ケースの前端下部に設けられた支軸を支点にして、器体前面の前方に突出する突出位置と、収納ケースに収納される没入位置とに揺動自在に支持される可動枠を備え、可動枠の上面に操作盤を固定して、可動枠の突出位置への揺動で操作盤が器体前面の前方に露出するようにした加熱調理器用操作装置であって、可動枠を突出位置側に付勢する付勢手段と、可動枠を没入位置に係止すると共に可動枠を没入位置から押し操作することで係止を解除するプッシュプッシュ式の係止機構とを備えるものにおいて、
可動枠より後方に位置する横長の関節軸部で屈伸自在に連結される第１と第２の一対のリンクを備え、第１リンクの関節軸部とは反対側の連結端部が収納ケースの下部に回動自在に連結されると共に、第２リンクの関節軸部とは反対側の連結端部が可動枠の上部に回動自在に連結されて、第１と第２の両リンクの伸び側への動作で可動枠が没入位置から突出位置に揺動されるようにし、
付勢手段は、関節軸部に外挿されるコイル部と、コイル部から延出されて第１と第２の両リンクに係止される両端のアーム部とを有し、第１と第２の両リンクを伸び側に動作するように付勢するねじりコイルバネで構成されることを特徴とする加熱調理器用操作装置。
【請求項２】
前記第１リンクの前記連結端部に横方向両側に突出する第１突起軸が設けられると共に、前記第２リンクの前記連結端部に横方向両側に突出する第２突起軸が設けられ、前記収納ケースの下部に、第１リンクの連結端部を横方向両側から挟む、第１突起軸を挿入可能な軸支孔が形成された一対の支持板が設けられ、少なくとも一方の支持板は、横方向に可撓であって、第１リンクの連結端部を両支持板間に押し込むときに、可撓の支持板が第１突起軸に押されて横方向外方に撓むことで、第１突起軸が軸支孔に臨む位置まで第１リンクの連結端部を両支持板間に押し込み自在とし、前記可動枠の上部に、第２突起軸を下方から挿入自在なポケット部が設けられることを特徴とする請求項１記載の加熱調理器用操作装置。
【発明の詳細な説明】
【技術分野】
【０００１】
本発明は、ガスコンロ等の加熱調理器の器体内の前部に設けられる収納ケースに、収納ケースの前端下部に設けられた支軸を支点にして、器体前面の前方に突出する突出位置と、収納ケースに収納される没入位置とに揺動自在に支持される可動枠を備え、可動枠の上面に操作盤を固定して、可動枠の突出位置への揺動で操作盤が器体前面の前方に露出するようにした加熱調理器用操作装置に関する。
【背景技術】
【０００２】
この種の操作装置において、可動枠は、一般的に、横方向両側の側板部と、操作盤を載置する上板部と、開閉自在な前板部とを有している。そして、収納ケースの下部の横方向一部の部分に前後方向に長手の電池ケースを設置し、可動枠の前板部を開いた状態で電池ケースに電池を出し入れできるようにしている。
【０００３】
また、従来、このような操作装置において、付勢手段を、収納ケースの下部前寄りで電池ケースの側方部分に位置するコイル部を有するねじりコイルバネで構成し、コイル部から延出される両端のアーム部を収納ケースの下部後寄り部分と可動枠の上板部後部とに係止したものも知られている（例えば、特許文献１参照）。このものでは、ねじりコイルバネのコイル部を横方向両側から挟むガイド板を収納ケースに設け、可動枠の出没動作中にコイル部が傾いて、ねじりコイルバネの両端のアーム部が収納ケースや可動枠から外れることがないようにしている。
【０００４】
ところで、最近は、加熱調理器の高機能化に伴い、操作盤の大型化が要求されている。ここで、操作盤の横幅は限られるため、操作盤の大型化のためには、操作盤の奥行き寸法を大きくすることが必要になる。然し、操作盤の奥行き寸法を大きくすると、可動枠の没入位置で操作盤の後端の位置がかなり低くなって、操作盤の後端が電池ケースに干渉してしまう。この場合、収納ケースの下部前寄り部分に横方向に長手の電池ケースを設置すれば、電池ケースに操作盤の後端が干渉することを回避できる。
【０００５】
但し、この場合には、収納ケースの下部前寄り部分が電池ケースで占められて、ねじりコイルバネのコイル部を収納ケースの下部前寄り部分に配置できなくなる。そのため、ねじりコイルバネの向きを変えて、コイル部を可動枠より後方に位置させることが考えられる。この場合、収納ケースにコイル部を横方向両側から挟むガイド板を設けることは、可動枠がガイド板に干渉してしまうため、不可能である。その結果、可動枠の出没動作中にコイル部が傾いて、ねじりコイルバネの両端のアーム部が収納ケースや可動枠から外れ、可動枠を突出位置側に付勢できなくなってしまうことがある。
【先行技術文献】
【特許文献】
【０００６】
【特許文献１】特開２００４−２６３９０３号公報
【発明の概要】
【発明が解決しようとする課題】
【０００７】
本発明は、以上の点に鑑み、付勢手段たるねじりコイルバネのコイル部を収納ケースの下部前寄りの部分に配置できなくても、可動枠を突出位置側に確実に付勢できるようにした加熱調理器用操作装置を提供することをその課題としている。
【課題を解決するための手段】
【０００８】
上記課題を解決するために、本発明は、加熱調理器の器体内の前部に設けられる収納ケースに、収納ケースの前端下部に設けられた支軸を支点にして、器体前面の前方に突出する突出位置と、収納ケースに収納される没入位置とに揺動自在に支持される可動枠を備え、可動枠の上面に操作盤を固定して、可動枠の突出位置への揺動で操作盤が器体前面の前方に露出するようにした加熱調理器用操作装置であって、可動枠を突出位置側に付勢する付勢手段と、可動枠を没入位置に係止すると共に可動枠を没入位置から押し操作することで係止を解除するプッシュプッシュ式の係止機構とを備えるものにおいて、可動枠より後方に位置する横長の関節軸部で屈伸自在に連結される第１と第２の一対のリンクを備え、第１リンクの関節軸部とは反対側の連結端部が収納ケースの下部に回動自在に連結されると共に、第２リンクの関節軸部とは反対側の連結端部が可動枠の上部に回動自在に連結されて、第１と第２の両リンクの伸び側への動作で可動枠が没入位置から突出位置に揺動されるようにし、付勢手段は、関節軸部に外挿されるコイル部と、コイル部から延出されて第１と第２の両リンクに係止される両端のアーム部とを有し、第１と第２の両リンクを伸び側に動作するように付勢するねじりコイルバネで構成されることを特徴とする。
【０００９】
本発明によれば、ねじりコイルバネのコイル部が、第１と第２の両リンクを連結する、可動枠よりも後方に位置する関節軸部に外挿されるため、コイル部が傾いて、ねじりコイルバネの両端のアーム部が各リンクから外れるようなことはない。従って、ねじりコイルバネのコイル部を収納ケースの下部前寄りの部分に配置できなくても、ねじりコイルバネにより第１と第２の両リンクを伸び側に動作するように付勢して、可動枠を突出位置側に確実に付勢することができる。
【００１０】
また、本発明においては、第１リンクの連結端部に横方向両側に突出する第１突起軸が設けられると共に、第２リンクの関節軸部とは反対側の連結端部に横方向両側に突出する第２突起軸が設けられ、収納ケースの下部に、第１リンクの連結端部を横方向両側から挟む、第１突起軸を挿入可能な軸支孔が形成された一対の支持板が設けられ、少なくとも一方の支持板は、横方向に可撓であって、第１リンクの連結端部を両支持板間に押し込むときに、可撓の支持板が第１突起軸に押されて横方向外方に撓むことで、第１突起軸が軸支孔に臨む位置まで第１リンクの連結端部を両支持板間に押し込み自在とし、可動枠の上部に、第２突起軸を下方から挿入自在なポケット部が設けられることが望ましい。
【００１１】
これによれば、第１リンクの連結端部を両支持板間に押し込むと共に、第２突起軸をポケット部に挿入するだけで、第１と第２の各リンクの連結端部を夫々収納ケースと可動枠に回動自在に連結でき、組立作業性が向上する。
【図面の簡単な説明】
【００１２】
【図１】本発明の実施形態の操作装置を具備する加熱調理器の一例を示す斜視図。
【図２】実施形態の操作装置の斜め前上方から見た斜視図。
【図３】実施形態の操作装置の斜め後上方から見た一部を切除した斜視図。
【図４】（ａ）実施形態の操作装置の可動枠が突出位置に存する状態の切断側面図、（ｂ）実施形態の操作装置の可動枠が没入位置に存する状態の切断側面図。
【発明を実施するための形態】
【００１３】
図１に示す加熱調理器は、システムキッチンのカウンタトップに開設した開口に落とし込むようにして設置する器体１と、器体１の上面を覆う天板１１に開設した複数のバーナ用開口を通して天板１１上に突出する複数のコンロバーナ２と、器体１内に配置したグリルとを備えるビルトイン型のガスコンロである。器体前面の横方向中間部には、グリル前面のグリル扉３が配置され、グリル扉３の両側の器体前面の上半部に配置された前パネル１２には、コンロバーナ２やグリルに設けられたグリルバーナの点消火及び火力調節用の操作摘み４が配置されている。また、前パネル１２の下方位置で前方に出没自在な可動枠５が設けられている。
【００１４】
図２〜図４を参照して、可動枠５は、器体１内の下部前部に設けられる収納ケース６に、収納ケース６の前端下部に設けられた支軸６１を支点にして、器体前面の前方に突出する突出位置（図２〜図４（ａ）に示す位置）と、収納ケース６に収納される没入位置（図４（ｂ）に示す位置）とに揺動自在に支持されるようにしている。可動枠５は、左右両側の側板部５１と上板部５２とを有する樹脂成形体と、この樹脂成形体の前面に支軸６１を支点にして開閉自在に取付けられる前板部５３とで構成される。上板部５２の上面には、加熱温度や加熱時間等を設定する各種操作スイッチ５４ａ及び表示部５４ｂを有する操作盤５４が固定されており、可動枠５の突出位置への揺動で操作盤５４が器体前面の前方に露出して、操作盤５４の操作が可能になるようにしている。
【００１５】
収納ケース６は、上板部６２と左右両側の側板部６３と底板部６４と前端の額縁状のフランジ部６５とを有する樹脂成形品で構成されており、フランジ部６５の下端部前面に支軸６１が設けられている。また、底板部６４上には電池ケース６６が設けられ、可動枠５の前板部５３を開いた状態で電池ケース６６に乾電池を出し入れできるようにしている。ここで、電池ケース６６が前後方向に長手であると、操作盤５４の奥行き寸法が大きく、可動枠５の上板部５２の奥行き寸法も大きくする場合、可動枠５を没入位置に揺動させる際に、上板部５２の後端部が電池ケース６６に干渉してしまう。そこで、本実施形態では、底板部６３上の前部に、横方向に長手の電池ケース６６を設け、上板部５２後端部の電池ケース６６への干渉を生ずることなく可動枠５を没入位置に揺動させることができるようにしている。
【００１６】
また、可動枠５を突出位置側に付勢する後述する付勢手段と、可動枠５を没入位置に係止すると共に可動枠５を没入位置から押し操作することで係止を解除するプッシュプッシュ式の係止機構７と、付勢手段の付勢力による可動枠５の移動速度を減速する減速手段８とを備えている。
【００１７】
係止機構７は、可動枠５の上板部５２の後端部から後方に突出する爪片７１と、収納ケース６の下部後部に設けられた、爪片７１が挿入可能な係止ユニット７２とで構成されている。減速手段８は、収納ケース６の一側の側板部６３に形成した、支軸６１と同心の円弧状のラック８１と、可動枠５の一側の側板部５１に取付けた、ラック８１に噛合するピニオン８２ａを有するダンパ８２とで構成される。ダンパ８２は、その内部に封入した高粘性オイルによってピニオン８２ａに回転負荷を与えるように構成されている。
【００１８】
付勢手段は、ねじりコイルバネ９で構成される。但し、従来例の如く収納ケース６の下部前寄り部分にねじりコイルバネ９のコイル部９ａを配置することは、収納ケース６の底板部６４上の前部に横長の電池ケース６６を配置するため、不可能である。
【００１９】
そこで、本実施形態では、可動枠５より後方に位置する横長の関節軸部９３で屈伸自在に連結される第１と第２の一対のリンク９１，９２を設けて、第１リンク９１の関節軸部９３とは反対側の連結端部９１ａを収納ケース６の下部の前後方向中間部に回動自在に連結すると共に、第２リンク９２の関節軸部９３とは反対側の連結端部９２ａを可動枠５の上部たる上板部５２の後部に回動自在に連結して、第１と第２の両リンク９１，９２の伸び側への動作で可動枠５が没入位置から突出位置に揺動されるようにしている。そして、関節軸部９３にねじりコイルバネ９のコイル部９ａを外挿すると共に、コイル部９ａから延出されるねじりコイルバネ９の両端のアーム部９ｂ，９ｃを第１と第２の両リンク９１，９２に係止し、両リンク９１，９２をねじりコイルバネ９で伸び側に動作するように付勢している。
【００２０】
このようにねじりコイルバネ９のコイル部９ａを関節軸部９３に外挿すれば、コイル部９ａが傾いて、両端のアーム部９ｂ，９ｃが各リンク９１，９２から外れるようなことはない。従って、ねじりコイルバネ９のコイル部９ａを収納ケース６の下部前寄りの部分に配置できなくても、ねじりコイルバネ９により第１と第２の両リンク９１，９２を伸び側に動作するように付勢して、可動枠５を突出位置側に確実に付勢することができる。
【００２１】
また、本実施形態では、第１リンク９１の連結端部９１ａに、横方向両側に突出する第１突起軸９１ｂを設けると共に、収納ケース６の下部に、第１リンク９１の連結端部９１ａを横方向両側から挟む一対の支持板６７１，６７２を設けている。各支持板６７１，６７２には、第１突起軸９１ｂが挿入可能な軸支孔６７ａが形成されている。また、一方の第１支持板６７１は、電池ケース６６から後方に舌片状に延出されるもので、横方向に可撓であり、他方の第２支持板６７２は、底板部６４から起立した板部で構成されている。第１支持板６７１の第２支持板６７２に対向する横方向内方の面の後部は、後方に向かって横方向外方に傾く傾斜面に形成され、第１支持板６７１側に突出する第１突起軸９１ｂの端面前部は、前方に向かって横方向内方に傾斜する傾斜面に形成されている。
【００２２】
これによれば、第１リンク９１の連結端部９１ａを第１と第２の両支持板６７１，６７２間に後方から押し込む際に、第１支持板６７１の傾斜面に第１突起軸９１ｂの傾斜面が当接することで、第１支持板６７１が第１突起軸９１ｂに押されて横方向外方に撓む。そして、第１支持板６７１の撓みにより、第１突起軸９１ｂが軸支孔６７ａに臨む位置まで第１リンク９１の連結端部９１ａを両支持板６７１，６７２間に押し込み自在となるようにしている。第１突起軸９１ｂが軸支孔６７ａに臨むと、第１支持板６７１の弾性復元力により、第１突起軸９１ｂが軸支孔６７ａに挿入した状態で第１リンク９１の連結端部９１ａが第１と第２の両支持板６７１，６７２間に挟持されて、収納ケース６の下部に第１リンク９１の連結端部９１ａが回動自在に連結される。
【００２３】
尚、収納ケース６の底板部６４上には、第１と第２の両支持板６７１，６７２間に位置させて、第１リンク９１の連結端部９１ａを第１突起軸９１ｂが軸支孔６７ａに臨む位置まで押し込んだときに、連結端部９１ａが当接するストッパ部６８が設けられている。また、軸支孔６７ａは長孔状に形成されているが、ストッパ部６８よりも前方にのびる孔部分に第１突起軸９１ｂが移行することはない。
【００２４】
また、本実施形態では、第２リンク９２の連結端部９２ａに、横方向両側に突出する第２突起軸９２ｂを設けると共に、可動枠５の上板部５２の下面後部に、第２突起軸９２ｂを下方から挿入自在なポケット部５５を設けている。そして、第２突起軸９２ｂをポケット部５５に挿入することで、第２リンク９２の連結端部９２ａが可動枠５の上板部５２に回動自在に連結されるようにしている。
【００２５】
このように、本実施形態では、第１リンク９１の連結端部９１ａを第１と第２の両支持板６７１，６７２間に押し込むと共に、第２リンク９２の連結端部９２ａの第２突起軸９２ｂをポケット部５５に挿入するだけで、第１リンク９１の連結端部９１ａと第２リンク９２の連結端部９２ａを夫々収納ケース６と可動枠５に回動自在に連結でき、組立作業性が向上する。
【００２６】
以上、本発明の実施形態について図面を参照して説明したが、本発明はこれに限定されない。例えば、上記実施形態では、収納ケース６の底板部６４上の前部に横長の電池ケース６６が設けられているが、このような電池ケースを備えない操作装置にも、また、熱源として電磁誘導コイルや電気ヒータを用いるガスコンロ以外の加熱調理器用の操作装置にも同様に本発明を適用できる。
【符号の説明】
【００２７】
１…器体、５…可動枠、５４…操作盤、５５…ポケット部、６…収納ケース、６１…支軸、６７１，６７２…支持板、６７ａ…軸支孔、７…係止機構、９…ねじりコイルバネ、９ａ…コイル部、９ｂ，９ｃ…アーム部、９１…第１リンク、９１ａ…連結端部、９１ｂ…第１突起軸、９２…第２リンク、９２ａ…連結端部、９２ｂ…第２突起軸、９３…関節軸部。
【図１】
0006425268.tif 000002
【図２】
0006425268.tif 000003
【図３】
0006425268.tif 000004
【図４】
0006425268.tif 000005